(57)【要約】      （修正有）【課題】慢性痛や気分障害を患う者ならびに健常者の健康を増進することができる気圧制御装置を実現する。【解決手段】人が存在する閉鎖空間の気圧の制御を開始するときの閉鎖空間５０の外部気圧を取得し、閉鎖空間の気圧が、その取得した外部気圧の１．０１〜１．０３倍になるように制御する。これにより、慢性痛や気分障害を患う者ならびに健常者の健康を増進することができる。【選択図】図１
2018011729.tif 000002
【特許請求の範囲】
【請求項１】
人が存在する閉鎖空間の気圧を制御する気圧制御装置であって、
前記閉鎖空間の気圧の制御を開始するときの前記閉鎖空間の外部気圧を取得し、前記閉鎖空間の気圧が前記取得した外部気圧の１．０１〜１．０３倍になるように制御することを特徴とする気圧制御装置。
【請求項２】
人が存在する閉鎖空間の気圧を制御する気圧制御装置であって、
前記閉鎖空間の外部気圧をリアルタイムで取得し、その取得した外部気圧が所定値に到達したときに、前記閉鎖空間の気圧が前記所定値の１．０１〜１．０３倍になるように制御することを特徴とする気圧制御装置。
【請求項３】
人が存在する閉鎖空間の気圧を制御する気圧制御装置であって、
前記閉鎖空間の外部気圧をリアルタイムで取得し、その取得した外部気圧の変動値が所定値に到達したときに、前記閉鎖空間の気圧が、前記変動値が前記所定値に到達したときの外部気圧の１．０１〜１．０３倍になるように制御することを特徴とする気圧制御装置。
【請求項４】
人が存在する閉鎖空間の気圧を制御する気圧制御装置であって、
前記閉鎖空間の予測される外部気圧を取得し、その取得した外部気圧が所定値に到達したときに、前記閉鎖空間の気圧が、前記所定値に到達したときの外部気圧の１．０１〜１．０３倍になるように制御することを特徴とする気圧制御装置。
【請求項５】
前記閉鎖空間の気圧の前記取得した外部気圧に対する倍率を、前記１．０１〜１．０３倍の範囲内で所望の倍率に調節する倍率調節装置を備えることを特徴とする請求項１ないし請求項４のいずれか１つに記載の気圧制御装置。
【請求項６】
前記閉鎖空間の気圧が、前記倍率調節装置により調節された倍率に対応する気圧に維持されている時間を調節する維持時間調節装置を備えることを特徴とする請求項５に記載の気圧制御装置。
【請求項７】
前記閉鎖空間の気圧が、前記取得した外部気圧から、前記倍率調節装置により調節された倍率に対応する気圧に到達するまで漸増するように自動制御することを特徴とする請求項５または請求項６に記載の気圧制御装置。
【請求項８】
前記閉鎖空間の気圧が、前記取得した外部気圧から、前記倍率調節装置により調節された倍率に対応する気圧に昇圧するまでの時間を調節する昇圧時間調節装置を備えることを特徴とする請求項５ないし請求項７のいずれか１つに記載の気圧制御装置。
【請求項９】
前記閉鎖空間の気圧が、前記倍率調節装置により調節された倍率に対応する気圧から、前記取得した外部気圧に到達するまで漸減するように自動制御することを特徴とする請求項５ないし請求項８のいずれか１つに記載の気圧制御装置。
【請求項１０】
前記閉鎖空間の気圧が、前記倍率調節装置により調節された倍率に対応する気圧から、前記取得した外部気圧に降圧するまでの時間を調節する降圧時間調節装置を備えることを特徴とする請求項５ないし請求項９のいずれか１つに記載の気圧制御装置。
【請求項１１】
前記閉鎖空間は、居住空間であることを特徴とする請求項１ないし請求項１０のいずれか１つに記載の気圧制御装置。
【請求項１２】
前記閉鎖空間は、人が移動に用いる移動体内の空間であることを特徴とする請求項１ないし請求項１０のいずれか１つに記載の気圧制御装置。
【請求項１３】
前記閉鎖空間は、特定の場所に設置された閉鎖空間であることを特徴とする請求項１ないし請求項１０のいずれか１つに記載の気圧制御装置。
【請求項１４】
前記閉鎖空間は、移動により気圧が変動する閉鎖空間であることを特徴とする請求項１ないし請求項１０のいずれか１つに記載の気圧制御装置。
【請求項１５】
前記閉鎖空間へ気体を供給する供給装置を備えており、
前記供給装置から供給する気体の供給量を制御することにより、前記閉鎖空間の気圧を制御することを特徴とする請求項１ないし請求項１４のいずれか１つに記載の気圧制御装置。
【発明の詳細な説明】
【技術分野】
【０００１】
この発明は、人が存在する閉鎖空間の気圧を制御する気圧制御装置に関する。
【背景技術】
【０００２】
近年、この種の気圧制御装置として、密閉型のカプセルやテントなどの閉鎖空間に酸素を注入し、かつ、気圧を上昇させるものが知られている。この場合、酸素濃度が概ね３０％に、閉鎖空間内の気圧上昇が外部気圧の１．３倍程度にそれぞれ制御される。そして、そのように制御することにより、健康増進効果やリラックス効果があると言われている。
【先行技術文献】
【特許文献】
【０００３】
【特許文献１】特開２００７−２０２９９５号公報（第２２段落、図１）
【発明の概要】
【発明が解決しようとする課題】
【０００４】
しかし、前述した健康増進やリラックス効果は、酸素を吸入することや、加圧により酸素が効率的に体内に取込まれることなどに起因すると言われているが、科学的な観点から考察すると、この程度の加圧では血液中に溶解する酸素濃度の上昇は全く期待できない。
すなわち、前述した効果についての科学的な根拠は全くないといってよく、慢性痛や気分障害を患う者ならびに健常者の健康を増進することはできないと考えられる。
【０００５】
そこで、この出願に係る発明は、気圧が人体に与える影響について科学的に検証し、慢性痛や気分障害を患う者ならびに健常者の健康を増進することができる気圧制御装置を実現することを目的とする。
【課題を解決するための手段】
【０００６】
（請求項１に係る発明）
請求項１に係る発明では、人が存在する閉鎖空間の気圧を制御する気圧制御装置（６０）であって、
前記閉鎖空間の気圧の制御を開始するときの前記閉鎖空間の外部気圧（Ｐ）を取得し、前記閉鎖空間の気圧（Ｐｒ）が前記取得した外部気圧の１．０１〜１．０３倍になるように制御するという技術的手段を用いる。
【０００７】
（請求項２に係る発明）
請求項２に係る発明では、人が存在する閉鎖空間の気圧を制御する気圧制御装置（６０）であって、
前記閉鎖空間の外部気圧（Ｐ）をリアルタイムで取得し、その取得した外部気圧が所定値に到達したときに、前記閉鎖空間の気圧（Ｐｒ）が前記所定値の１．０１〜１．０３倍になるように制御するという技術的手段を用いる。
【０００８】
（請求項３に係る発明）
請求項３に係る発明では、人が存在する閉鎖空間の気圧を制御する気圧制御装置（６０）であって、
前記閉鎖空間の外部気圧（Ｐ）をリアルタイムで取得し、その取得した外部気圧の変動値が所定値に到達したときに、前記閉鎖空間の気圧（Ｐｒ）が、前記変動値が前記所定値に到達したときの外部気圧の１．０１〜１．０３倍になるように制御するという技術的手段を用いる。
【０００９】
（請求項４に係る発明）
請求項４に係る発明では、人が存在する閉鎖空間の気圧を制御する気圧制御装置（６０）であって、
前記閉鎖空間の予測される外部気圧（Ｐ）を取得し、その取得した外部気圧が所定値に到達したときに、前記閉鎖空間の気圧（Ｐｒ）が、前記所定値に到達したときの外部気圧の１．０１〜１．０３倍になるように制御するという技術的手段を用いる。
【００１０】
（請求項５に係る発明）
請求項５に係る発明では、請求項１ないし請求項４のいずれか１つに記載の気圧制御装置（６０）において、前記閉鎖空間の気圧（Ｐｒ）の前記取得した外部気圧（Ｐ）に対する倍率を、前記１．０１〜１．０３倍の範囲内で所望の倍率に調節する倍率調節装置（６２〜６４）を備えるという技術的手段を用いる。
【００１１】
（請求項６に係る発明）
請求項６に係る発明では、請求項５に記載の気圧制御装置（６０）において、前記閉鎖空間の気圧（Ｐｒ）が、前記倍率調節装置（６２〜６４）により調節された倍率に対応する気圧（Ｐｔ）に維持されている時間を調節する維持時間調節装置（６７，６８）を備えるという技術的手段を用いる。
【００１２】
（請求項７に係る発明）
請求項７に係る発明では、請求項５または請求項６に記載の気圧制御装置（６０）において、前記閉鎖空間の気圧（Ｐｒ）が、前記取得した外部気圧（Ｐ）から、前記倍率調節装置（６２〜６４）により調節された倍率に対応する気圧（Ｐｔ）に到達するまで漸増するように自動制御するという技術的手段を用いる。
【００１３】
（請求項８に係る発明）
請求項８に係る発明では、請求項５ないし請求項７のいずれか１つに記載の気圧制御装置（６０）において、前記閉鎖空間の気圧（Ｐｒ）が、前記取得した外部気圧（Ｐ）から、前記倍率調節装置（６２〜６４）により調節された倍率に対応する気圧（Ｐｔ）に昇圧するまでの時間を調節する昇圧時間調節装置を備えるという技術的手段を用いる。
【００１４】
（請求項９に係る発明）
請求項９に係る発明では、請求項５ないし請求項８のいずれか１つに記載の気圧制御装置（６０）において、前記閉鎖空間の気圧（Ｐｒ）が、前記倍率調節装置（６２〜６４）により調節された倍率に対応する気圧（Ｐｔ）から、前記取得した外部気圧（Ｐ）に到達するまで漸減するように自動制御するという技術的手段を用いる。
【００１５】
（請求項１０に係る発明）
請求項１０に係る発明では、請求項５ないし請求項９のいずれか１つに記載の気圧制御装置（６０）において、前記閉鎖空間の気圧（Ｐｒ）が、前記倍率調節装置（６２〜６４）により調節された倍率に対応する気圧（Ｐｔ）から、前記取得した外部気圧（Ｐ）に降圧するまでの時間を調節する降圧時間調節装置を備えるという技術的手段を用いる。
【００１６】
（請求項１１に係る発明）
請求項１１に係る発明では、請求項１ないし請求項１０のいずれか１つに記載の気圧制御装置（６０）において、前記閉鎖空間は、居住空間であるという技術的手段を用いる。
【００１７】
（請求項１２に係る発明）
請求項１２に係る発明では、請求項１ないし請求項１０のいずれか１つに記載の気圧制御装置（６０）において、前記閉鎖空間は、人が移動に用いる移動体内の空間であるという技術的手段を用いる。
【００１８】
（請求項１３に係る発明）
請求項１３に係る発明では、請求項１ないし請求項１０のいずれか１つに記載の気圧制御装置（６０）において、前記閉鎖空間は、特定の場所に設置された閉鎖空間であるという技術的手段を用いる。
【００１９】
（請求項１４に係る発明）
請求項１４に係る発明では、請求項１ないし請求項１０のいずれか１つに記載の気圧制御装置（６０）において、前記閉鎖空間は、移動により気圧が変動する閉鎖空間であるという技術的手段を用いる。
【００２０】
（請求項１５に係る発明）
請求項１５に係る発明では、請求項１ないし請求項１４のいずれか１つに記載の気圧制御装置（６０）において、前記閉鎖空間へ気体を供給する供給装置を備えており、前記供給装置から供給する気体の供給量を制御することにより、前記閉鎖空間の気圧を制御するという技術的手段を用いる。
【００２１】
なお、上記各括弧内の符号は、後述する実施形態に記載の具体的手段との対応関係を示すものである。
【発明の効果】
【００２２】
（請求項１に係る発明の効果）
請求項１に係る発明の気圧制御装置は、人が存在する閉鎖空間の気圧の制御を開始するときの閉鎖空間の外部気圧を取得し、閉鎖空間の気圧が、その取得した外部気圧の１．０１〜１．０３倍になるように制御する。
したがって、請求項１に係る発明は、慢性痛や気分障害を患う者ならびに健常者の健康を増進するという効果を奏する。
【００２３】
（請求項２に係る発明の効果）
請求項２に係る発明の気圧制御装置は、人が存在する閉鎖空間の外部気圧をリアルタイムで取得し、その取得した外部気圧が所定値に到達したときに、閉鎖空間の気圧が、その所定値の１．０１〜１．０３倍になるように制御する。
したがって、請求項２に係る発明は、外部気圧が所定値に到達したときに閉鎖空間の気圧を外部気圧の１．０１〜１．０３倍になるように制御することができる。
つまり、請求項２に係る発明は、閉鎖空間の気圧を制御しても、所望の効果を得ることができないと予測される外部気圧のときに、閉鎖空間の気圧の制御を行わないようにすることができる。
【００２４】
（請求項３に係る発明の効果）
請求項３に係る発明の気圧制御装置は、人が存在する閉鎖空間の外部気圧をリアルタイムで取得し、その取得した外部気圧の変動値が所定値に到達したときに、閉鎖空間の気圧が、変動値が上記所定値に到達したときの外部気圧の１．０１〜１．０３倍になるように制御する。
したがって、請求項３に係る発明は、外部気圧の変動値が所定値に到達したときに閉鎖空間の気圧を外部気圧の１．０１〜１．０３倍になるように制御することができる。
つまり、請求項３に係る発明は、閉鎖空間の気圧を制御しても、所望の効果を得ることができないと予測される外部気圧のときに、閉鎖空間の気圧の制御を行わないようにすることができる。
【００２５】
（請求項４に係る発明の効果）
請求項４に係る発明の気圧制御装置は、人が存在する閉鎖空間の予測される外部気圧を取得し、その取得した外部気圧が所定値に到達したときに、閉鎖空間の気圧が、その所定値に到達したときの外部気圧の１．０１〜１．０３倍になるように制御する。
したがって、請求項４に係る発明は、予測される外部気圧が所定値に到達したときに閉鎖空間の気圧を外部気圧の１．０１〜１．０３倍になるように制御することができる。
つまり、請求項４に係る発明は、閉鎖空間の気圧を制御しても、所望の効果を得ることができないと予測される外部気圧のときに、閉鎖空間の気圧の制御を行わないようにすることができる。
【００２６】
（請求項５に係る発明の効果）
請求項５に係る発明の気圧制御装置は、閉鎖空間の気圧の前記取得した外部気圧に対する倍率を、１．０１〜１．０３倍の範囲内で所望の倍率に調節する倍率調節装置を備える。
したがって、請求項５に係る発明は、気圧に対する個人差に応じて最適の気圧に制御することができるため、気圧に対する個人差に応じて健康の増進を行うことができる。
【００２７】
（請求項６に係る発明の効果）
請求項６に係る発明の気圧制御装置は、閉鎖空間の気圧が、倍率調節装置により調節された倍率に対応する気圧に維持されている時間を調節する維持時間調節装置を備える。
したがって、請求項６に係る発明は、調節された気圧に晒されている時間の長さが、効果の種類、効果の程度、あるいは、効果の個人差に対して影響を与える場合に、時間を調節することによって最大の効果を奏することができる。
【００２８】
（請求項７に係る発明の効果）
請求項７に係る発明の気圧制御装置は、閉鎖空間の気圧が、取得した外部気圧から、倍率調節装置により調節された倍率に対応する気圧に到達するまで漸増するように自動制御する。
したがって、請求項７に係る発明は、閉鎖空間の気圧が急激に上昇しないようにすることができるため、気圧の急激な上昇による人体への影響をなくすことができる。
【００２９】
（請求項８に係る発明の効果）
請求項８に係る発明の気圧制御装置は、閉鎖空間の気圧が、取得した外部気圧から、倍率調節装置により調節された倍率に対応する気圧に昇圧するまでの時間を調節する昇圧時間調節装置を備える。
したがって、請求項８に係る発明は、気圧の上昇に対して順応性が低い人に対して、最適な昇圧時間に調節することができるため、そのような人も当該気圧制御装置を利用して健康を増進することができる。
【００３０】
（請求項９に係る発明の効果）
請求項９に係る発明の気圧制御装置は、閉鎖空間の気圧が、倍率調節装置により調節された倍率に対応する気圧から、前記取得した外部気圧に到達するまで漸減するように自動制御する。
したがって、請求項９に係る発明は、閉鎖空間の気圧が急激に下降しないようにすることができるため、気圧の急激な下降による人体への影響をなくすことができる。
【００３１】
（請求項１０に係る発明の効果）
請求項１０に係る発明の気圧制御装置は、閉鎖空間の気圧が、倍率調節装置により調節された倍率に対応する気圧から、前記取得した気圧に降圧するまでの時間を調節する降圧時間調節装置を備える。
したがって、請求項１０に係る発明は、気圧の下降に対して順応性が低い人に対して、最適な降圧時間に調節することができるため、そのような人も当該気圧制御装置を利用して健康を増進することができる。
【００３２】
（請求項１１に係る発明の効果）
請求項１１に係る発明の気圧制御装置は、居住空間の気圧を外部気圧の１．０１〜１．０３倍になるように制御する。
したがって、請求項１１に係る発明は、居住空間に居住する人の健康を増進することができる。
たとえば、家に住む人や職場で働く人の健康を増進することができる。
【００３３】
（請求項１２に係る発明の効果）
請求項１２に係る発明の気圧制御装置は、人が移動に用いる移動体内の空間の気圧を外部気圧の１．０１〜１．０３倍になるように制御する。
したがって、請求項１２に係る発明は、人が移動に用いる移動体内の空間に入っている人の健康を増進することができる。
たとえば、自動車、鉄道車両、航空機、船舶、エレベーターなどの移動体内の空間に入っている人の健康を増進することができる。
【００３４】
（請求項１３に係る発明の効果）
請求項１３に係る発明の気圧制御装置は、特定の場所に設置された閉鎖空間の気圧を外部気圧の１．０１〜１．０３倍になるように制御する。
したがって、請求項１３に係る発明は、特定の場所に設置された閉鎖空間に入っている人の健康を増進することができる。
たとえば、空港のラウンジ、鉄道の駅の待合室などの閉鎖空間に当該気圧制御装置を接続する。これにより、気圧低下によって慢性痛や気分障害を発症した人が、その閉鎖空間に入ることにより、症状を改善することができる。
【００３５】
（請求項１４に係る発明の効果）
請求項１４に係る発明の気圧制御装置は、移動により気圧が変動する閉鎖空間の気圧を外部気圧の１．０１〜１．０３倍になるように制御する。
したがって、請求項１４に係る発明は、移動により気圧が変動する閉鎖空間に入っている人の健康を増進することができる。
【００３６】
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、請求項１４に係る発明を実施すれば、移動により気圧が変動する閉鎖空間の気圧を外部気圧の１．０１〜１．０３倍になるように制御することができるため、気圧の低下に起因する慢性痛や気分障害が発症しないようにすることができる。
【００３７】
（請求項１５に係る発明の効果）
請求項１５に係る発明の気圧制御装置は、閉鎖空間へ気体を供給する供給装置を備えており、その供給装置から供給する気体の供給量を制御することにより、閉鎖空間の気圧を制御する。
したがって、請求項１５に係る発明は、供給装置から供給する気体の供給量を制御するという簡易な構成により、閉鎖空間の気圧を外部気圧の１．０１〜１．０３倍になるように制御することができるため、当該気圧制御装置の適用範囲を拡げることができる。
【図面の簡単な説明】
【００３８】
【図１】この発明の実施形態である気圧制御装置と気圧ルームの外観を示す斜視図である。
【図２】図１に示す気圧制御装置に設けられた操作パネルの平面図である。
【図３】図１に示す気圧制御装置の電気的構成をブロックで示す説明図である。
【図４】図３に示す制御回路が実行する制御の流れを示すフローチャートである。
【図５】図４に示すフローチャートの続きを示すフローチャートである。
【図６】実験１における被験者のプロフィールを示す図表である。
【図７】実験１における高気圧暴露スケジュールを示す説明図である。
【図８】実験１における疼痛ＶＡＳスコア、痛み度数および痛み指数の実験結果を示すグラフである。
【図９】実験１における不安および抑うつの実験結果を示すグラフである。
【図１０】実験１におけるＰＯＭＳに対する効果の実験結果を示すグラフである。
【図１１】実験１におけるα2脳波に対する効果の実験結果を示すグラフである。
【図１２】実験１におけるＬＦ／ＨＦに対する効果（健常者）およびＬＦ／ＨＦに対する効果（慢性痛）の実験結果を示すグラフである。
【図１３】実験１におけるＬＦ／ＨＦに対する効果（慢性痛・気分障害）およびＬＦ／ＨＦに対する効果（気分障害）の実験結果を示すグラフである。
【図１４】実験１における安静臥床と高気圧暴露のＬＦ／ＨＦに対する効果の比較の実験結果を示すグラフである。
【図１５】実験１における唾液アミラーゼ分泌量に対する効果の実験結果を示すグラフである。
【図１６】実験２における被験者のプロフィールを示す図表である。
【図１７】実験２における高気圧暴露スケジュールを示す説明図である。
【図１８】実験２における疼痛ＶＡＳスコアの変化の実験結果を示すグラフである。
【図１９】実験２におけるＰＡＩＮ  ＶＩＳＩＯＮ痛み指数の変化の実験結果を示すグラフである。
【図２０】実験２におけるＳＦ−ＭＰＱ疼痛尺度の変化の実験結果を示すグラフである。
【図２１】実験２におけるＨＡＤＳ（不安尺度）に対する効果の実験結果を示すグラフである。
【図２２】実験２におけるＰＯＭＳの精神尺度に対する高気圧暴露の効果の実験結果を示すグラフである。
【図２３】実験２におけるα2脳波に対する高気圧暴露の効果の実験結果を示すグラフである。
【図２４】実験２におけるＬＦ／ＨＦパワーに対する効果（慢性痛患者）の実験結果を示すグラフである。
【図２５】実験２におけるＬＦ／ＨＦパワーに対する高気圧暴露の抑制効果の実験結果を示すグラフである。
【図２６】実験２における唾液アミラーゼ分泌量に対する高気圧暴露の効果の実験結果を示すグラフである。
【図２７】ＳＦ−ＭＰＱ（簡略版マクギル疼痛質問票）の説明図である。
【図２８】ＨＡＤＳ質問票の説明図である。
【図２９】ＰＯＭＳ簡略版の説明図である。
【発明を実施するための形態】
【００３９】
〈第１実施形態〉
［気圧制御装置の概略構成］
最初に、この実施形態の気圧制御装置の概略構成について図１および図２を参照して説明する。図１は、この実施形態の気圧制御装置と気圧ルームの外観を示す斜視図である。図２は、図１に示す気圧制御装置に設けられた操作パネルの平面図である。
【００４０】
図１に示すように、この実施形態の気圧制御装置６０は、閉鎖空間を形成する気圧ルーム５０に接続されている。気圧ルーム５０の内部に形成される閉鎖空間は、その閉鎖空間に入った人が座位または臥床などの姿勢をとることができる大きさに形成されている。気圧ルーム５０の一端には、扉５１がヒンジ５２を介して開閉可能に取付けられている。
気圧制御装置６０は、１本の加圧パイプ（図示省略）と、２本の減圧パイプ（図示省略）とによって気圧ルーム５０内部の閉鎖空間と連結されている。気圧制御装置６０は、閉鎖空間へ空気を供給するポンプ（図３において符号７２で示す）を備える。気圧制御装置６０は、加圧用パイプを介して閉鎖空間へ空気を供給し、閉鎖空間内の気圧を昇圧し、減圧パイプを介して閉鎖空間内の空気を吸引し、閉鎖空間内の気圧を減圧する。各減圧用パイプには、電磁弁（図３において符号７３，７４で示す）がそれぞれ設けられており、各電磁弁の開閉を制御することにより、閉鎖空間の気圧を制御する。また、気圧ルーム５０の内部には、気圧ルーム内の気圧を測定する気圧センサ（図３において符号７８で示す）が配置されており、測定した気圧を気圧制御装置６０へ送信するように構成されている。
【００４１】
図２に示すように、気圧制御装置６０の操作パネル６１には、閉鎖空間内の気圧を調節するための３つの調節ボタン６２〜６４が設けられている。各調節ボタン６２〜６４は、プッシュオン式のプッシュボタンであり、調節ボタン６２（ＧＬＡＮ）は、閉鎖空間の気圧を閉鎖空間外の外部気圧の１．０３倍に設定するための調節ボタンであり、調節ボタン６３（ＭＩＬＤ）は、閉鎖空間の気圧を閉鎖空間外の外部気圧の１．０２倍に設定するための調節ボタンであり、調節ボタン６４（ＳＯＦＴ）は、閉鎖空間の気圧を閉鎖空間外の外部気圧の１．０１倍に設定するための調節ボタンである。つまり、気圧ルーム５０の閉鎖空間は、調節ボタン６２〜６４のいずれかを押圧操作することにより、外部気圧の１．０１〜１．０３倍の気圧の環境に維持される。
【００４２】
たとえば、気圧ルーム５０内の閉鎖空間は、外部気圧が１０１３ｈＰａであるときに、調節ボタン６２を押圧操作すると、外部気圧よりも約３０ｈＰａ高い１０４３ｈＰａ（＝１０１３ｈＰａ×１．０３）に昇圧され、調節ボタン６３を押圧操作した場合は、外部気圧よりも約２０ｈＰａ高い１０３３ｈＰａ（＝１０１３ｈＰａ×１．０２）に昇圧され、調節ボタン６４を押圧操作した場合は、外部気圧よりも約１０ｈＰａ高い１０２３ｈＰａ（＝１０１３ｈＰａ×１．０１）に昇圧される。
気圧に対する敏感さや順応性には、個人差があるため、気圧ルーム５０に入る人は、自分に適合した気圧を選択することができる。
気圧ルーム５０内の閉鎖空間の気圧が、調節ボタン６２〜６４によって調節された目標の気圧に到達するまでに要する時間は、調節された気圧によって異なるが、この実施形態では、加圧開始から１〜６分で目標の気圧に漸増して到達する。
【００４３】
また、操作パネル６１には、制御の開始および停止を行うためのスタート／ストップボタン６５と、緊急時に制御の停止を行うための緊急ストップボタン６６とが設けられている。スタート／ストップボタン６５は、押圧操作毎にスタートおよびストップが切替わる構成である。また、操作パネル６１には、気圧制御を行っている時間、つまり使用時間を設定するための時間増加ボタン６７と、時間減少ボタン６８とが設けられている。時間増加ボタン６７を押圧操作すると、使用時間が１０分単位で増加し、減少ボタン６８を押圧操作すると、使用時間が１０分単位で減少する。設定した時間は、残り時間として、残り時間表示部７０に表示される。この実施形態では、設定可能な時間は、３０〜９０分であり、時間増加ボタン６７を３秒間長押しすると、７時間に設定することができる。また、操作パネル６１には、稼働中であることを点灯によって表示する稼働中ランプ６９が設けられている。
【００４４】
［気圧制御装置の電気的構成］
次に、気圧制御装置６０の主な電気的構成について、それをブロックで示す図３を参照して説明する。
【００４５】
気圧制御装置６０は、気圧ルーム５０の外部気圧（大気圧）を測定する気圧センサ７１と、空気を加圧パイプを介して気圧ルーム５０へ供給するポンプ７２と、各減圧パイプに設けられた電磁弁７３，７４と、表示パネル６１と、インターホン７５と、制御回路７６と、電源７７とを備える。制御回路７６は、ポンプ７２の駆動回路と、各電磁弁７３，７４の駆動回路と、気圧の制御などの各種制御を行うマイクロコンピュータとを備える。制御回路７６は、ポンプ７２を制御し、気圧ルーム５０の気圧を、調節ボタン６２〜６４により調節された目標の気圧まで漸増しながら昇圧する制御と、時間増加ボタン６７および時間減少ボタン６８により設定された使用時間の間、目標の気圧を維持する制御とを行う。また、制御回路７６は、上記使用時間が経過したときに、電磁弁７３，７４を制御し、気圧ルーム５０の気圧が目標の気圧から外部気圧まで漸減しながら降圧する制御を行う。
また、気圧制御装置６０には、気圧ルーム５０の内部に設けられた気圧センサ７８と、気圧ルーム５０の内部に設けられたインターホン７９とが電気的に接続されている。
制御回路７６は、気圧ルーム５０の内部の気圧が目標の気圧となるように、ポンプ７２を駆動し、各電磁弁７３，７４の開閉を制御する。
【００４６】
［気圧制御装置の制御の流れ］
次に、制御回路７６が実行する制御の流れについて、それを示す図４および図５のフローチャートを参照して説明する。
【００４７】
制御回路７６は、自身が稼働中か否かを判定し（ステップ（以下、Ｓと略す）１）、稼働中ではないと判定した場合は（Ｓ１：Ｎｏ）、スタート／ストップボタン６５が押圧操作され、制御開始が指示されたか否かを判定する（Ｓ２）。ここで、制御開始が指示されたと判定した場合は（Ｓ２：Ｙｅｓ）、気圧センサ７１（図３）から大気圧（気圧ルーム５０の外部気圧）Ｐを取得する（Ｓ３）。続いて、調節ボタン６２が押圧操作され、ＳＯＦＴが選択されているか否かを判定し（Ｓ４）、選択されていると判定した場合は（Ｓ４：Ｙｅｓ）、先のＳ３において取得した大気圧Ｐ×１．０１を、閉鎖空間の気圧の目標値（以下、目標気圧と称する）Ｐｔに設定する（Ｓ５）。
【００４８】
また、Ｓ４においてＳＯＦＴが選択されていないと判定した場合は（Ｓ４：Ｎｏ）、調節ボタン６３が押圧操作され、ＭＩＬＤが選択されているか否かを判定し（Ｓ６）、選択されていると判定した場合は（Ｓ６：Ｙｅｓ）、先のＳ３において取得した大気圧Ｐ×１．０２を、閉鎖空間の気圧の目標値（以下、目標気圧と称する）Ｐｔに設定する（Ｓ７）。また、Ｓ６においてＭＩＬＤが選択されていないと判定した場合は（Ｓ６：Ｎｏ）、調節ボタン６４が押圧操作され、ＧＬＡＮが選択されているか否かを判定し（Ｓ８）、選択されていると判定した場合は（Ｓ８：Ｙｅｓ）、先のＳ３において取得した大気圧Ｐ×１．０３を、閉鎖空間の気圧の目標値（以下、目標気圧と称する）Ｐｔに設定する（Ｓ９）。
【００４９】
続いて、稼働時間Ｔａをセットし（Ｓ１０）、ポンプ７２（図３）を駆動して気圧ルーム５０内へ空気を供給し、加圧を開始する（Ｓ１１）。続いて、気圧ルーム５０の内部に設けられた気圧センサ７８（図３）から室内気圧Ｐｒを取得し（Ｓ１２）、その室内気圧Ｐｒが目標気圧Ｐｔに到達したか否かを判定する（図５のＳ１３）。ここで、到達していないと判定した場合は（Ｓ１３：Ｎｏ）、スタート／ストップボタン６５または緊急ストップボタン６６が押圧操作され、制御停止が指示されたか否かを判定する（Ｓ１４）。ここで、指示されていないと判定した場合は（Ｓ１４：Ｎｏ）、加圧を継続する（図４のＳ１１）。
【００５０】
そして、室内気圧Ｐｒが目標気圧Ｐｔに到達したと判定した場合は（図５のＳ１３：Ｙｅｓ）、ポンプ７２の駆動を停止して空気の供給を停止し、加圧を停止する（Ｓ１５）。続いて、先のＳ１０（図４）において設定した稼働時間Ｔａが０になったか否か、つまりタイムアップしたか否かを判定し（Ｓ１６）、タイムアップしていないと判定した場合は（Ｓ１６：Ｎｏ）、スタート／ストップボタン６５または緊急ストップボタン６６が押圧操作され、制御停止が指示されたか否かを判定する（Ｓ１７）。ここで、指示されていないと判定した場合は（Ｓ１７：Ｎｏ）、室内気圧Ｐｒが目標気圧Ｐｔに到達したか否かを判定する（Ｓ１３）。
【００５１】
そして、タイムアップしたと判定した場合（Ｓ１６：Ｙｅｓ）は、あるいは、制御停止の指示があったと判定した場合は（Ｓ１４：Ｙｅｓ、Ｓ１７：Ｙｅｓ）、ポンプ７２を停止して空気の供給を停止するとともに、各減圧用パイプに設けられている電磁弁７３，７４（図３）を開放して気圧ルーム５０内の減圧を開始する（Ｓ１８）。続いて、室内気圧Ｐｒが大気圧Ｐに到達したか否かを判定し（Ｓ１９）、到達したと判定した場合は（Ｓ１９：Ｙｅｓ）、減圧を終了し（Ｓ２０）、制御の終了を報知する（Ｓ２１）。この制御の終了は、ＬＥＤなどを点灯または点滅させることによって報知したり、音を出力することによって報知したりすることができ、それらの報知を行うための装置は、気圧制御装置６０または気圧ルーム５０の内部、あるいは、それらの両方に設けることができる。
【００５２】
この実施形態では、気圧ルーム５０は鋼板により直方体形状に形成されており、扉５１はアクリルにより板状に形成されている。また、気圧ルーム５０の内寸は、幅７４０ｍｍ、全長１７５０ｍｍ、高さ１０５０ｍｍである。材料および各寸法は変更可能である。
【００５３】
［実験１］
次に、この出願の発明者らが行った実験について図を参照して説明する。
この出願の発明者らは、大気圧よりも高い気圧が、人に及ぼす効果を測定する実験を行った。
【００５４】
１．被験者
この実験の被験者は計２６名である。その内訳は、健常成人１０名、慢性痛のみの者５名、気分障害のみの者５名、両者を同時に持つ者６名である（図６）。慢性痛被験者は、疼痛ＶＡＳスコア２以上、Pain Visionの痛み度数が２０以上、マクギル指数が０．１以上であった。また、気分障害は、ＨＡＤＳの不安尺度、抑うつ尺度のいずれかが７以上のものである。
【００５５】
２．高気圧暴露
２−１．装置
タイムワールド製Ｏ２カプセルを改造し、加圧制御性能を高めたものを用いた。カプセル内の気圧値を測定できるようにした。
２−２．暴露条件
その時点の大気圧から３０ｈＰａの加圧を行った。加圧速度は約１０ｈＰａ／分。本実験では、高気圧暴露の効果に限定したため、酸素の付加は行わなかった。被験者は各種の質問票に回答し、カプセル内で安静臥床後、血圧、唾液アミラーゼ測定を行い、１０分間の心電図・脳波の基準値測定後、カプセル内を３分かけて大気圧＋３０ｈＰａの高気圧環境にした。２７分高気圧に維持し、３０秒で大気圧まで復圧した。暴露後の安静期を９分３０秒とした（図７）。実験終了後、質問票、血圧、唾液アミラーゼ測定を行った。被験者には、できるだけ睡眠をとらないように指示した。
【００５６】
３．測定項目
３−１．疼痛尺度
（ＶＡＳスケール）
被験者に、患部の痛みの強さを０〜１０段階で自己評価してもらった。０は全く痛みがない、１０は想像できる最大の痛みとした。
（ＳＦ−ＭＰＱ（簡略版マクギル疼痛質問票））
簡易版マクギル疼痛質問票（図２７）を用いて被験者に回答してもらった。
（痛み度）
ニプロ製知覚・痛覚定量分析装置Pain Vision PS-2100を用いて、疼痛レベルを測定した。この装置の測定原理は以下の通りである。被験者が持つ痛みの強さを、痛みを伴わない電気刺激による感覚の大きさと比較し、痛みに対応する感覚の大きさを刺激電流値として定量化する。すなわち、皮膚に痛みを発生させないパルス状電流波を与え、刺激量を漸増させながら痛みと刺激感覚の大きさを比較する。痛みの大きさに相当する感覚を与えた電流値を痛み対応電流と定義する。一方、被験者の電気刺激に対する閾値（増大する電気刺激を最初に感じた値）を最小感知電流と定義する。このようにして得られた痛み対応電流値と最小感知電流値により、痛みの大きさを表す指標を次のように定義する。
痛み度＝１００×（痛み対応電流−最小感知電流）／最小感知電流
【００５７】
３−２．精神症状（気分）尺度
（ＶＡＳスケール）
被験者に、気分を５段階（気持ちがいい〜気分が悪い）で自己評価してもらった。
（ＨＡＤＳ（Hospital Anxiety and Depression Scale)）
ＨＡＤＳ質問票（図２８）を用いて、被験者に自記してもらった。不安７項目、抑うつ７項目それぞれの点数を合計した。
（ＰＯＭＳ(Profile of Mood States)簡略版）
健常被験者の気分尺度は、ＰＯＭＳ簡略版（図２９）を用いて測定した。各質問項目について０〜４段階で自己評価してもらった。あらかじめ決められた６つの尺度（緊張・不安、抑うつ、敵意・怒り、活気、疲労、混乱）について合計点を求めた。
（簡易脳波測定）
ＦＵＴＥＫ製α波測定器FM-717を用いて、簡易脳波測定をした。α2脳波の出現量（電圧量／秒）を算出し、リラックスの程度の尺度とした。
【００５８】
３−３．自律神経指標
（心拍変動周波数パワースペクトル解析）
心臓の自律神経緊張の指標として、心拍変動周波数を求め、中間周波数成分（ＬＦ：０．０４−０．１５Ｈｚ）と高周波成分（０．１５−０．４Ｈｚ）の比（ＬＦ／ＨＦ）を交感神経活動の指標とした。心電図は、ダイヤメディカルシステム製テレメータ送受信機または日本光電製多チャンネルテレメーターシステムWEB-1000を用いて記録し、ＧＭＳ製心拍揺らぎ解析システムMem Calc/Tarawaを用いてＬＦ／ＨＦ値をリアルタイムで算出した。
（唾液アミラーゼ分泌量）
ニプロ製唾液アミラーゼモニターＣＭ-2.1を用いて、唾液中のアミラーゼ量を測定した。
【００５９】
４．実験結果
４−１．疼痛尺度
実験結果を図８に示す。個々の被験者で測定した疼痛ＶＡＳスコア、Pain Visionの痛み度数、ＳＦ−ＭＰＱの痛み尺度の３指標の暴露前後の値を線で結んだ。ほとんどの被験者において、この３指標は暴露後に減少した。疼痛ＶＡＳスコアの平均値±標準誤差は暴露前後でそれぞれ３．９±０．５と２．０±０．３であり、統計学的に有意な差であった（ｔ検定、Ｐ＜０．００１）。また、痛み度数の平均値±標準誤差は、暴露前後でそれぞれ２３８．５±１０７．５と９９．７±４０．５であり、統計学的に有意な差であった（ｔ検定、Ｐ＜０．０５）。ＳＦ−ＭＰＱの痛み尺度についても有意な低下を示した。すなわち、平均値±標準誤差は、暴露前後でそれぞれ０．９±０．２と０．２２±０．０７であり、統計学的に有意な差であった（ｔ検定、Ｐ＜０．０１）。
【００６０】
４−２．精神症状（気分）尺度
ＨＡＤＳに対する高気圧暴露の効果を図９に示す。この図で明らかなように、高気圧暴露は不安尺度、抑うつ尺度ともに抑制効果を持つ。不安尺度の平均値±標準誤差は、暴露前後でそれぞれ９．５±０．９と５．６±１．１であり、統計学的に有意な差であった（ｔ検定、Ｐ＜０．０５）。また、抑うつ尺度についても平均値±標準誤差は、暴露前後でそれぞれ８．９±１．１と６．８±１．１であり、統計学的に有意な差であった（ｔ検定、Ｐ＜０．０５）。
【００６１】
健常被験者に行ったＰＯＭＳに対する高気圧暴露の効果を図１０に示す。高気圧暴露は、緊張・不安尺度と抑うつ尺度を明らかに抑制した。両尺度とも統計学的に有意な低下であった（ｔ検定、Ｐ＜０．０５）。他の尺度については高気圧暴露前後に明らかな変化は見られなかった。
図１１にα2脳波の出現量に対する高気圧暴露の効果を示した。慢性痛＋気分障害群で高気圧暴露後に増加傾向がみられた（統計学的な有意差はない）。他の群では明らかな効果はなかった。
【００６２】
４−３．自律神経指標
心拍変動周波数パワースペクトル解析を行い、暴露中のＬＦ／ＨＦの変化を解析した（図１２，図１３）。図１２（ａ）左のグラフは、健常被験者に高気圧暴露したときのＬＦ／ＨＦの経過である（９例の平均）。この図にみられるように高気圧環境に維持している間は低値で安定した。この傾向は、パワーの平均値（右グラフ）でも確認できた（統計学的な有意差はみられない）。
慢性痛群（図１２（ｂ））、慢性痛＋気分障害群（図１３（ｃ））についても健常群と同様に、高気圧環境に維持することによってＬＦ／ＨＦ値が低値安定する効果が得られた。気分障害群においては、この効果は弱いことも分かった（図１３（ｄ））。
【００６３】
図１４は、各群の被験者１名ずつに高気圧暴露を受けずにカプセル内に安静臥床してもらい、ＬＦ／ＨＦ値の経過を解析したものである。比較のため同一被験者に高気圧暴露を与えたときのＬＦ／ＨＦ値も示している。このグラフから明らかなように、どの被験者においても安静臥床のみでは高気圧暴露で観察されるような明瞭なＬＦ／ＨＦ値の低下は見られない。特に、慢性痛被験者と気分障害被験者のＬＦ／ＨＦ値は安静臥床によってかえって増加している。この結果から、高気圧暴露は、ＬＦ／ＨＦの低下、すなわち交感神経緊張を抑制する効果があるものと考えられる。
【００６４】
高気圧暴露による唾液アミラーゼ量の変化を図１５に示す。最右のグラフにあるように健常者の分泌量は暴露前値が低値を示し、高気圧暴露によっても明らかな変化はみられなかった。他の群においては暴露前から高値を示す例があった。また、高気圧暴露が明らかに抑制効果を示したものもみられた。慢性痛＋気分障害群で高気圧暴露後に値が大きく増加した１例が存在したが、この被験者は一定姿勢で臥床していること自体が苦痛だったと感想を述べた。
【００６５】
５．考察
今回の実験で以下の点が明らかとなった。
（１）大気圧＋３０ｈＰａの高気圧暴露は、健常者のストレスを抑制し、気分を改善し、交感神経緊張を抑制する効果があった。
（２）慢性痛、気分障害を示す被験者においては、疼痛レベルの低下、気分障害の改善、交感神経緊張の抑制効果が見られた。一部の被験者においてはストレスレベルを低下させる効果があることもα2脳波と唾液アミラーゼ分泌量測定によって明らかとなった。
以上の結果により、大気圧＋３０ｈＰａへの暴露が、健常者ならびに慢性痛／気分障害を患う被験者に対して有効な「健康増進効果」があることを強く示唆した。
【００６６】
６．結論
大気圧＋３０ｈＰａの高気圧暴露を３０分負荷し、健常者のストレスレベル、交感神経緊張、気分に与える影響を解析した。また、慢性痛あるいは気分障害をもつ被験者については、それぞれの症状に対する効果も同時に調べた。健常者のストレスレベルは低下し、交感神経の緊張レベルも低下した。また、慢性痛症状、気分障害の程度も低下した。
以上より、大気圧＋３０ｈＰａの高気圧暴露は一定の健康増進効果を持つことが明らかとなった。
【００６７】
［実験２］
次に、この出願の発明者らが前述した実験１の後に行った実験について図を参照して説明する。
前述の実験１では、大気圧＋３０ｈＰａが人に及ぼす効果を測定する実験を行ったが、今回の実験では、高気圧の程度を大気圧＋１０ｈＰａに下げ、室内や乗用車等で容易に実装できる範囲とし、慢性痛の低減効果に焦点をあてて実験を行った。
【００６８】
１．被験者
被験者は、慢性痛患者のうち天気変化に敏感な者４名と、慢性痛をもつ一般成人６名である。被験者の性別、年齢、慢性痛部位は、図１６の通りである。
【００６９】
２．高気圧暴露
２−１．装置
タイムワールド社製「Ｏ2カプセル」を改造し、加圧制御性能を向上させたものを実験に用いた。また、カプセル内の気圧値をオンラインで測定記録できるようにした。
２−２．暴露プロトコル
それぞれの被験者に対し、高気圧暴露ありの施行を一回、高気圧暴露無しの施行を一回の計二回行った。暴露ありの施行を先に行ったケースが６例、暴露無しの施行を先に行ったケースが３例、他の一例については両施行を二日に分けて行った。
被験者は、各種の質問票に回答した後、カプセル内で安静臥床し、疼痛ＶＡＳスコア、PAIN VISION、血圧、唾液アミラーゼの測定を行った。１０分間の心電図・脳波の基準値測定後、約３分かけてその時点の大気圧から＋１０ｈＰａの高気圧環境にした。そして、３０分間高気圧に維持し、約１分で大気圧まで復圧した。暴露後の安静期を１０分とした（図１７）。暴露終了後に再度、疼痛ＶＡＳスコア、PAIN VISION、血圧、唾液アミラーゼの測定を行い、その後、質問票に回答してもらった。実験中、被験者には、カプセル内の眼前モニターで移動指標を２分間視認させ、コントローラー動作（両手の回内外運動）で指標を追跡するタスク作業を繰り返し行わせた（計５回）。暴露無しのプロトコルでは、気圧を変化させずに、暴露ありのプロトコルと同じタイムスケジュールで各パラメータの測定を行った。
【００７０】
３．測定項目
３−１．疼痛尺度
（疼痛ＶＡＳスコア）
被験者に、患部の痛みの強さを０〜１０段階で自己評価してもらった。０は全く痛みがない、１０は想像できる最大の痛みとした。
（痛み度数）
NIPRO製知覚・痛覚定量分析装置PAIN VISION PS-2100を用いて、疼痛レベルを測定した。この装置の測定原理は以下の通りである。被験者が持つ痛みの強さを、痛みを伴わない電気刺激による感覚の大きさと比較し、痛みに対応する感覚の大きさを刺激電流値として定量化する。すなわち、皮膚に痛みを発生させないパルス状電流波を与え、刺激量を漸増させながら痛みと刺激感覚の大きさを比較する。痛みの大きさに相当する感覚を与えた電流値を痛み対応電流と定義する。一方、被験者の電気刺激に対する閾値（増大する電気刺激を最初に感じた値）を最小感知電流と定義する。このようにして得られた痛み対応電流値と最小感知電流値により、痛みの大きさを表す指標を次の式を用いて算出した。
〈痛み度＝１００×（痛み対応電流−最小感知電流）／最小感知電流〉
【００７１】
（ＳＦ−ＭＰＱ（簡略版マクギル疼痛質問票））
ＳＦ−ＭＰＱ質問票（図２７）を用いて、被験者に自記してもらった。その点数を合計し、１６項目の合計点を１６で除した値を疼痛尺度とした。
【００７２】
３−２．精神症状（気分）尺度
（ＨＡＤＳ（Hospital Anxiety and Depression Scale)）
ＨＡＤＳ質問票（図２８）を用いて、被験者に自記してもらった。不安尺度（左側７項目）、うつ尺度（右側７項目）それぞれの点数（質問回答文右側の数字）を合計した。尺度の合計点がそれぞれ７以上の場合を「気分障害」と判断した。
（ＰＯＭＳ(Profile of Mood States)簡略版）
健常被験者の気分尺度は、ＰＯＭＳ簡略版（図２９）を用いて、被験者に各質問項目について０〜４の５段階で自記してもらった。あらかじめ決められた６つの精神尺度（緊張・不安、抑うつ、敵意・怒り、活気、疲労、混乱）についてそれぞれ合計点を求め評価した。
（簡易脳波測定）
ＦＵＴＥＫ製α波測定器FM-717を用いて、簡易脳波測定を行った。前頭葉部位におけるα2脳波の出現量（電圧量／秒）を算出し、精神性リラックスの程度の尺度とした。
【００７３】
３−３．自律神経指標
（心拍変動周波数パワースペクトル解析）
心臓の自律神経緊張の指標として、心拍変動周波数を求め、中間周波数成分（ＬＦ：０．０４−０．１５Ｈｚ）と高周波成分（０．１５−０．４Ｈｚ）の比（ＬＦ／ＨＦ）を交感神経活動の指標とした。心電波形は、日本光電製多チャンネルテレメータシステムWEB-1000を用いて記録し、ＧＭＳ製心拍揺らぎ解析システムMem Calc/Tarawaを用いてＬＦ／ＨＦ値をリアルタイムで算出した。
（唾液アミラーゼ分泌量）
ＮＩＰＲＯ製唾液アミラーゼモニターＣＭ-2.1を用いて、精神的ストレス度の指標として唾液中のアミラーゼ量を測定し比較した。
【００７４】
４．実験結果
４−１．疼痛尺度
（疼痛ＶＡＳスコア）
試験直前の疼痛ＶＡＳスコアの範囲は、２〜５だった。個々の被験者の疼痛ＶＡＳスコアの変化を図１８に示す。高気圧暴露を行わなかった対照施行に比べ、高気圧暴露施行において暴露後の疼痛ＶＡＳスコアが低下している例が多く、その傾向は、平均値の変化でも明らかだった。疼痛ＶＡＳスコアの平均値±標準誤差は、高気圧暴露前後でそれぞれ３．２±０．３と２．５±０．３であり、統計学的に有意な変化であった（paired t検定、Ｐ＜０．０５）。
【００７５】
（ＰＡＩＮ  ＶＩＳＩＯＮ）
暴露前の痛み度数は、１．６〜６２７．３であり、個人差が大きかった。暴露前後の痛み度数の変化を図１９に示す。高気圧暴露施行では、直後の痛み度数が低下している例が多く、特に痛み度数が高い被験者でその傾向が明らかだった。痛み度数の平均値±標準誤差は、高気圧暴露前後でそれぞれ１９０．９±７０．５と１００．７±２８．０であり、統計学的に有意な変化であった（paired t検定、Ｐ＜０．０５）。
【００７６】
（ＳＦ−ＭＰＱ疼痛尺度）
ＳＦ−ＭＰＱの疼痛尺度についても高気圧暴露によって明らかな改善が見られた（図２０）。すなわち、高気圧暴露前後の疼痛尺度の平均値±標準誤差は、それぞれ０．２７±０．０６と０．１８±０．０５であり、統計学的に有意な低下であった（paired t検定、Ｐ＜０．０５）。一方、高気圧暴露しない対照施行（左グラフ）では明らかな変化は見られなかった（１回目：０．３２±０．０８、２回目：０．３４±０．１０）。
【００７７】
４−２．精神症状（気分）尺度
（ＨＡＤＳ）
暴露前に気分障害ありと区分された被験者は４名であった（図１６）。ＨＡＤＳ（不安尺度）に対する高気圧暴露の効果を図２１に示す。右図に示すとおり、不安尺度の平均値±標準誤差は、暴露前後でそれぞれ５．８±１．４と４．２±１．３であり、統計学的に有意な差であった（paired t検定、Ｐ＜０．０５）。一方、高気圧暴露を行わない対照施行の不安尺度は、１回目が４．９±１．３、２回目が４．２±１．４であり、統計学的に有意差はなかった。うつ尺度については、高気圧暴露を行っても有意な変化はみられなかった（データ記載省略）。以上より、高気圧暴露は不安尺度に対してのみ抑制効果を持つことが分かった。
【００７８】
（ＰＭＯＳ簡略版）
図２２にＰＭＯＳの精神尺度に対する高気圧暴露の効果を示した。高気圧暴露なし（左図）と高気圧暴露あり（右図）のデータを比べると分かるように、高気圧暴露は緊張・不安尺度と抑うつ尺度を抑制する効果があり、両尺度とも統計学的に有意な低下であった（paired t検定、Ｐ＜０．０５）。一方、他の精神尺度については個々人の変化にばらつきが多く、高気圧暴露前後に明らかな変化は見られなかった。
【００７９】
（α2脳波の出現量）
図２３にα2脳波の出現量に対する高気圧暴露の効果を示した。この両図で明らかなように、高気圧暴露を行っても、出現量に明らかな変化は見られなかった。
【００８０】
４−３．自律神経指標
（ＬＦ／ＨＦパワー）
図２４に一例（被験者ＳＫ）の結果を示す。高気圧暴露を行わなかった対照施行（上図）では、パワー量が増加した。一方、高気圧暴露施行（下図）では、高気圧に維持すると徐々に低値に安定した。以上より、高気圧環境は、この被験者の交感神経系の緊張を抑制したと考えられる。
図２５に被験者１０名に高気圧暴露したときのＬＦ／ＨＦパワー平均値の変化を示す。高気圧暴露を行わなかった対照施行（左図）では、時間が経過するにつれて、ＬＦ／ＨＦパワーが増加した。一方、高気圧暴露施行では、ＬＦ／ＨＦパワーの変化はほとんど見られなかった。以上の結果から、５０分間の臥床中にタスク作業を行うとストレス反応として徐々に交感神経の緊張が生じることがわかった。一方、高気圧暴露施行では、この変化が消失していることから、高気圧暴露は交感神経緊張を抑制する（すなわちリラックス効果を持つ）ことが分かった。
【００８１】
（唾液アミラーゼ分泌量）
高気圧暴露による唾液アミラーゼ量の変化を図２６に示す。暴露前に高値を示した被験者２名（慢性痛患者ＳＡ、ＳＫ）では、高気圧暴露後に明らかにアミラーゼ値が低下したが、全体としては統計学的に有意な変化ではなかった。
【００８２】
５．考察
今回の実験で以下の点が明らかとなった。
（１）大気圧＋１０ｈＰａの高気圧暴露は、慢性痛を軽減し、気分障害を改善し、精神的ストレスによる不安・緊張あるいは抑うつを抑制する効果を示した。また、心拍間隔変動周波数解析の結果から、高気圧暴露には交感神経系の緊張を抑制する効果もあることが分かった。
（２）α2脳波と唾液アミラーゼ分泌量測定により、一部の被験者においてはストレスレベルを低下させる効果があることも明らかとなった。
【００８３】
また、今回の実験では、カプセル内でタスク作業をさせて覚醒レベルを高め、実際の室内作業環境に近い環境を模擬したが、ＬＦ／ＨＦパワーの解析結果から、この作業が被験者のストレスレベルを上げることが明らかとなり、高気圧暴露は、このストレス反応を抑制する効果を持つことも明らかとなった。これらのことから、＋１０ｈＰａの高気圧暴露でも慢性痛、気分障害に対して十分に改善効果があるが、タスク作業のストレスが「大気圧＋１０ｈＰａの高気圧暴露」の効果をマスクした可能性は否定できない。
【００８４】
６．結論
室内あるいは自動車等を想定した環境条件における健康増進効果を検証するため、大気圧＋１０ｈＰａの高気圧暴露を３０分間負荷し、慢性痛を持つ被験者のストレスレベル、交感神経緊張、気分に与える影響を解析した。被験者のストレスレベルは低下し、交感神経の緊張レベルも低下した。また、慢性痛症状、気分障害の程度も低下した。
以上より、実験１における大気圧＋３０ｈＰａと比較すると効果の程度は低いが、大気圧＋１０ｈＰａの高気圧環境は、慢性痛抑制効果のみならず、一定の健康増進効果を持つことが明らかとなった。
【００８５】
［第１実施形態による効果］
（１）第１実施形態の気圧制御装置６０を実施すれば、気圧ルーム５０の気圧の制御を開始するときの気圧ルーム５０の外部気圧Ｐを取得し、気圧ルーム５０の室内気圧Ｐｒが、その取得した外部気圧Ｐの１．０１〜１．０３倍になるように制御することにより、慢性痛や気分障害を患う者ならびに健常者の健康を増進することができる。
【００８６】
（２）また、第１実施形態の気圧制御装置６０を実施すれば、気圧ルーム５０の室内気圧Ｐｒの外部気圧Ｐに対する倍率を、１．０１〜１．０３倍の範囲内で所望の倍率に調節することができるため、気圧に対する個人差に応じて最適の気圧に制御することができるので、気圧に対する個人差に応じて健康の増進を行うことができる。
【００８７】
（３）さらに、第１実施形態の気圧制御装置６０を実施すれば、気圧ルーム５０の室内気圧Ｐｒが、調節ボタン６２〜６４により調節された倍率に対応する気圧に維持されている時間を調節する時間増加ボタン６７と時間減少ボタン６８とを備えるため、調節された室内気圧に晒されている時間の長さが、効果の種類、効果の程度、あるいは、効果の個人差に対して影響を与える場合に、時間を調節することによって最大の効果を奏することができる。
【００８８】
（４）さらに、第１実施形態の気圧制御装置６０を実施すれば、気圧ルーム５０の室内気圧Ｐｒが、外部気圧Ｐから、調節ボタン６２〜６４により調節された倍率に対応する気圧に到達するまで漸増するように自動制御することができるため、気圧ルーム５０の室内気圧Ｐｒが急激に上昇しないようにすることができるので、気圧の急激な上昇による人体への影響をなくすことができる。
【００８９】
（５）さらに、第１実施形態の気圧制御装置６０を実施すれば、気圧ルーム５０の室内気圧Ｐｒが、調節ボタン６２〜６４により調節された倍率に対応する気圧が外部気圧Ｐに到達するまで漸減するように自動制御することができるため、気圧ルーム５０の室内気圧Ｐｒが急激に下降しないようにすることができるので、気圧の急激な下降による人体への影響をなくすことができる。
【００９０】
（６）さらに、ポンプ７２（図３）から供給する空気の供給量を制御するという簡易な構成により、閉鎖空間の気圧を外部気圧の１．０１〜１．０３倍になるように制御することができるため、気圧制御装置６０の適用範囲を拡げることができる。
（７）従来は必須であった、強力な加圧装置、気密性の高い筐体、複雑な換気システム、および酸素注入ユニットの設計・製造が不要となるため、コストを削減することができ、かつ、製品開発の自由度が格段に広がり、顧客ニーズに沿った機能の最適化や、審美性の高いデザインの実現により、製品に競争力を付与することができる。
【００９１】
〈他の実施形態１〉
閉鎖空間の外部気圧Ｐをリアルタイムで取得し、その取得した外部気圧Ｐが所定値に到達したときに、閉鎖空間の気圧Ｐｒが上記所定値の１．０１〜１．０３倍になるように気圧制御装置６０を構成することもできる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項２に係る発明に対応する。
【００９２】
〈他の実施形態２〉
閉鎖空間の外部気圧Ｐをリアルタイムで取得し、その取得した外部気圧の変動値が所定値に到達したときに、閉鎖空間の気圧Ｐｒが、上記変動値が前記所定値に到達したときの外部気圧の１．０１〜１．０３倍になるように気圧制御装置６０を構成することもできる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項３に係る発明に対応する。
【００９３】
〈他の実施形態３〉
閉鎖空間の予測される外部気圧Ｐを取得し、その取得した外部気圧が所定値に到達したときに、閉鎖空間の気圧Ｐｒが、上記所定値に到達したときの外部気圧の１．０１〜１．０３倍になるように気圧制御装置６０を構成することもできる。たとえば、インターネットなどの通信回線を介して気象予報情報を取得し、その取得した気象予報情報に含まれる気圧予想値を、予測される外部気圧Ｐとして用いることができる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項４に係る発明に対応する。
【００９４】
〈他の実施形態４〉
閉鎖空間の気圧Ｐｒが、取得した外部気圧Ｐから、調節ボタン６２〜６４により調節された倍率に対応する気圧Ｐｔに昇圧するまでの時間を調節する昇圧時間調節装置を備えるように気圧制御装置６０を構成することもできる。
この気圧制御装置６０を実施すれば、気圧の上昇に対して順応性が低い人に対して、最適な昇圧時間に調節することができるため、そのような人も当該気圧制御装置６０を利用して健康を増進することができる。なお、この気圧制御装置６０が請求項８に係る発明に対応する。
【００９５】
〈他の実施形態５〉
閉鎖空間の気圧Ｐｒが、調節ボタン６２〜６４により調節された倍率に対応する気圧Ｐｔから、取得した外部気圧Ｐに降圧するまでの時間を調節する降圧時間調節装置を備えるように気圧制御装置６０を構成することもできる。
この気圧制御装置６０を実施すれば、気圧の下降に対して順応性が低い人に対して、最適な降圧時間に調節することができるため、そのような人も当該気圧制御装置を利用して健康を増進することができる。なお、この気圧制御装置６０が請求項１０に係る発明に対応する。
【００９６】
〈他の実施形態６〉
居住空間の気圧の制御に気圧制御装置６０を用いることもできる。この気圧制御装置６０を実施すれば、居住空間に居住する人の健康を増進することができる。たとえば、家に住む人や職場で働く人の健康を増進することができる。なお、この気圧制御装置６０が請求項１１に係る発明に対応する。
【００９７】
〈他の実施形態７〉
人が移動に用いる移動体内の空間の気圧制御に気圧制御装置６０を用いることもできる。この気圧制御装置６０を実施すれば、人が移動に用いる移動体内の空間に入っている人の健康を増進することができる。たとえば、自動車、鉄道車両、航空機、船舶、エレベーターなどの移動体内の空間に入っている人の健康を増進することができる。なお、この気圧制御装置６０が請求項１２に係る発明に対応する。
【００９８】
〈他の実施形態８〉
特定の場所に設置された閉鎖空間の気圧制御に気圧制御装置６０を用いることもできる。この気圧制御装置６０を実施すれば、特定の場所に設置された閉鎖空間に入っている人の健康を増進することができる。たとえば、空港のラウンジ、鉄道の駅の待合室などの閉鎖空間に当該気圧制御装置を接続する。これにより、気圧低下によって慢性痛や気分障害を発症した人が、その閉鎖空間に入ることにより、症状を改善することができる。なお、この気圧制御装置６０が請求項１３に係る発明に対応する。
【００９９】
〈他の実施形態９〉
移動により気圧が変動する閉鎖空間の気圧制御に気圧制御装置６０を用いることもできる。この気圧制御装置６０を実施すれば、移動により気圧が変動する閉鎖空間に入っている人の健康を増進することができる。
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、気圧制御装置６０を実施すれば、移動により気圧が変動する閉鎖空間の気圧を外部気圧の１．０１〜１．０３倍になるように制御することができるため、気圧の低下に起因する慢性痛や気分障害が発症しないようにすることができる。なお、この気圧制御装置６０が請求項１４に係る発明に対応する。
【０１００】
〈他の実施形態１０〉
閉鎖空間の気圧Ｐｒの外部気圧Ｐに対する倍率を、公知の可変調整器などを使って０．０１単位あるいは０．０１未満の単位で調節するように構成することもできる。
【符号の説明】
【０１０１】
５０・・気圧ルーム（閉鎖空間）、５１・・扉、６０・・気圧制御装置、
６１・・操作パネル、６２〜６４調節ボタン（倍率調節装置）、
６７・・時間増加ボタン（維持時間調節装置）、
６８・・時間減少ボタン（維持時間調節装置）。
【図１】
2018011729.tif 000003
【図２】
2018011729.tif 000004
【図３】
2018011729.tif 000005
【図４】
2018011729.tif 000006
【図５】
2018011729.tif 000007
【図６】
2018011729.tif 000008
【図７】
2018011729.tif 000009
【図８】
2018011729.tif 000010
【図９】
2018011729.tif 000011
【図１０】
2018011729.tif 000012
【図１１】
2018011729.tif 000013
【図１２】
2018011729.tif 000014
【図１３】
2018011729.tif 000015
【図１４】
2018011729.tif 000016
【図１５】
2018011729.tif 000017
【図１６】
2018011729.tif 000018
【図１７】
2018011729.tif 000019
【図１８】
2018011729.tif 000020
【図１９】
2018011729.tif 000021
【図２０】
2018011729.tif 000022
【図２１】
2018011729.tif 000023
【図２２】
2018011729.tif 000024
【図２３】
2018011729.tif 000025
【図２４】
2018011729.tif 000026
【図２５】
2018011729.tif 000027
【図２６】
2018011729.tif 000028
【図２７】
2018011729.tif 000029
【図２８】
2018011729.tif 000030
【図２９】
2018011729.tif 000031